(57)【要約】【課題】新たな構造を有し、組立が容易で、かつ発光モジュールで発生した熱を効果的に排出することができるバックライトユニット及び表示装置を提供すること。【解決手段】本発明によるバックライトユニットは、第１長辺、第２長辺、第１短辺、及び第２短辺を含む長方形形態の平面形状を有するボトムカバーと、上記ボトムカバーの内に上記第１長辺、第２長辺、第１短辺、または第２短辺のうち、少なくともいずれか１つに沿って配置される発光モジュールと、上記ボトムカバーの内に上記発光モジュールの上側に一部分が配置される導光板と、上記導光板の上に光学シートと、上記ボトムカバーに結合され、一部分が上記光学シートの上に配置される支持部材と、上記支持部材の上に配置され、上記ボトムカバーと結合されるトップカバーと、を含む。【選択図】図１
2011253806.tif 000002
【特許請求の範囲】
【請求項１】
第１長辺、第２長辺、第１短辺、及び第２短辺を含むボトムカバーと、
前記ボトムカバーの内に前記第１長辺、第２長辺、第１短辺、または第２短辺のうち、少なくともいずれか１つに沿って配置される発光モジュールと、
前記ボトムカバーの内に前記発光モジュールの上側に少なくとも一部分が配置される導光板と、
前記導光板の上に光学シートと、
前記ボトムカバーに連結され、少なくとも一部分が前記光学シートの上に配置される支持部材と、
前記支持部材の上に配置され、前記ボトムカバーと連結されるトップカバーと、
を含むことを特徴とする、バックライトユニット。
【請求項２】
前記発光モジュールは、発光モジュール基板と、前記発光モジュール基板の上に配置される複数の発光素子と、を含むことを特徴とする、請求項１に記載のバックライトユニット。
【請求項３】
前記発光モジュールは、前記ボトムカバーと前記トップカバーとの間に配置されることを特徴とする、請求項１に記載のバックライトユニット。
【請求項４】
前記発光モジュールは、前記導光板の下に配置されて前記導光板の下面に光を照射することを特徴とする、請求項１に記載のバックライトユニット。
【請求項５】
前記ボトムカバーの上に放熱部材が配置され、前記発光モジュールは前記放熱部材の上に配置されることを特徴とする、請求項１に記載のバックライトユニット。
【請求項６】
前記放熱部材は、第１放熱部材、及び前記第１放熱部材が前記ボトムカバーに結合されるように支持する第２放熱部材をさらに含み、
前記発光モジュールは、前記第２放熱部材の上に配置されることを特徴とする、請求項５に記載のバックライトユニット。
【請求項７】
前記第１放熱部材はヒートパイプであることを特徴とする、請求項６に記載のバックライトユニット。
【請求項８】
前記ボトムカバーと導光板との間に反射シートをさらに含むことを特徴とする、請求項１に記載のバックライトユニット。
【請求項９】
前記導光板は、前記発光モジュールの上側に配置される部分に傾斜面が形成され、前記傾斜面の上には反射層が形成されたことを特徴とする、請求項１に記載のバックライトユニット。
【請求項１０】
前記複数の発光素子は、前記支持部材と前記ボトムカバーとの間に配置されることを特徴とする、請求項２に記載のバックライトユニット。
【請求項１１】
前記支持部材は、前記光学シートの下面が前記導光板と接触するように前記光学シートの上面と接触することを特徴とする、請求項１に記載のバックライトユニット。
【請求項１２】
請求項１乃至請求項１１のうち、いずれか１項に記載されたバックライトユニットと、
前記支持部材と前記トップカバーにより支持され、前記光学シートの上に配置される表示パネルと、
を含むことを特徴とする、表示装置。
【発明の詳細な説明】
【技術分野】
【０００１】
本発明は、バックライトユニット及び表示装置に関するものである。
【背景技術】
【０００２】
表示装置のうち、液晶表示装置は映像を表示するために光を提供するバックライトユニットを必要とする。
【０００３】
上記バックライトユニットは、光を発生させる光源と、上記光源と液晶表示装置との間の光経路上に配置される光学シートを含み、上記表示装置は、上記バックライトユニットから放出された光の進行経路上に配置される表示パネルを含む。
【発明の概要】
【発明が解決しようとする課題】
【０００４】
本発明は、新たな構造を有するバックライトユニット及び表示装置を提供することを目的とする。
【０００５】
また、本発明は、組立が容易なバックライトユニット及び表示装置を提供することを目的とする。
【０００６】
また、本発明は、発光モジュールで発生した熱を効果的に排出することができるバックライトユニット及び表示装置を提供することを目的とする。
【課題を解決するための手段】
【０００７】
本発明によるバックライトユニットは、第１長辺、第２長辺、第１短辺、及び第２短辺を含むボトムカバーと、上記ボトムカバーの内に上記第１長辺、第２長辺、第１短辺、または第２短辺のうち、少なくともいずれか１つに沿って配置される発光モジュールと、上記ボトムカバーの内に上記発光モジュールの上側に少なくとも一部分が配置される導光板と、上記導光板の上に光学シートと、上記ボトムカバーに連結され、少なくとも一部分が上記光学シートの上に配置される支持部材と、上記支持部材の上に配置され、上記ボトムカバーと連結されるトップカバーと、を含む。
【０００８】
本発明による表示装置は、第１長辺、第２長辺、第１短辺、及び第２短辺を含むボトムカバーと、上記ボトムカバーの内に上記第１長辺、第２長辺、第１短辺、または第２短辺のうち、少なくともいずれか１つに沿って配置される発光モジュールと、上記ボトムカバーの内に上記発光モジュールの上側に少なくとも一部分が配置される導光板と、上記導光板の上に光学シートと、ボトムカバーに連結され、少なくとも一部分が上記光学シートの上に配置される支持部材と、上記支持部材の上に配置され、上記ボトムカバーと連結されるトップカバーとを含むバックライトユニット、及び上記支持部材と上記トップカバーにより支持され、上記光学シートの上に配置される表示パネルを含む。
【発明の効果】
【０００９】
本発明によれば、新たな構造を有し、組立が容易で、かつ、発光モジュールで発生した熱を効果的に排出することができるバックライトユニット及び表示装置を得ることができる効果がある。
【図面の簡単な説明】
【００１０】
【図１】本発明の実施形態による表示装置の分解斜視図である。
【図２】図１の表示装置をＩ−Ｉ’線により切断した断面図である。
【図３】本発明の実施形態による表示装置におけるボトムカバーの内側に設けられた発光モジュールを示す図である。
【図４】本発明の実施形態による表示装置における支持部材を示す図である。
【図５】本発明の実施形態によるボトムカバーの正面図及び背面図である。
【図６】本発明の実施形態によるボトムカバーの正面図及び背面図である。
【図７】本発明の実施形態による表示装置における支持部材の構造を説明する図である。
【図８】本発明の実施形態による表示装置における支持部材の構造を説明する図である。
【図９】本発明の実施形態による表示装置における支持部材の構造を説明する図である。
【図１０】本発明の実施形態による表示装置における支持部材の構造を説明する図である。
【図１１】本発明の実施形態による表示装置における表示パネルを説明する図である。
【図１２】本発明の実施形態による表示装置における反射シート、導光板、及び光学シートの流動を防止するための構造を説明するための図である。
【図１３】本発明の実施形態による表示装置における反射シート、導光板、及び光学シートの流動を防止するための構造を説明するための図である。
【図１４】本発明の実施形態による表示装置における反射シート、導光板、及び光学シートの流動を防止するための構造を説明するための図である。
【図１５】本発明の実施形態による表示装置における反射シート、導光板、及び光学シートの流動を防止するための構造を説明するための図である。
【図１６】本発明の実施形態による表示装置におけるコネクタとボトムカバーの背面に配置された電源装置または印刷回路基板を電気的に連結するための経路を提供する構造を説明する図である。
【図１７】本発明の実施形態による表示装置におけるコネクタとボトムカバーの背面に配置された電源装置または印刷回路基板を電気的に連結するための経路を提供する構造を説明する図である。
【図１８】本発明の実施形態による表示装置のトップカバーを説明する図である。
【図１９】本発明の実施形態による表示装置のトップカバーを説明する図である。
【図２０】本発明の他の実施形態の表示装置を切断した断面図である。
【発明を実施するための形態】
【００１１】
本発明を説明するに当たって、各層（膜）、領域、パターン、または構造物が、基板、各層（膜）、領域、パッド、またはパターンの“上（on）”に、または“下（under）”に形成されることと記載される場合において、“上（on）”と“下（under）”は、“直接（directly）”または“他の層を介して（indirectly）”形成されることを全て含む。また、各層の上または下に対する基準は、図面を基準として説明する。
【００１２】
図面において、各層の厚さやサイズは説明の便宜及び明確性のために誇張、省略、または概略的に図示された。また、各構成要素のサイズは実際のサイズを全的に反映するのではない。
【００１３】
以下、添付した図面を参照しながら本発明の実施形態によるバックライトユニット及び表示装置について詳細に説明する。
【００１４】
実施形態による表示装置は、バックライトユニットと、上記バックライトユニットから光が提供されて映像をディスプレイする表示パネルと、を含む。したがって、実施形態では、表示装置を説明することによってバックライトユニットも共に説明する。
【００１５】
実施形態による表示装置は、２長辺と２短辺とを有する長方形態に形成されることもできる。上記表示装置を壁に据置させるか、スタンド構造を用いて立てる場合に、１つの長辺は下側に配置され、他の１つの長辺は上側に配置され、２短辺は左側及び右側にそれぞれ配置される。実施形態では、説明の便宜のために下側に配置される長辺を第１長辺と称し、上側に配置される長辺を第２長辺と称し、左側に配置される短辺を第１短辺と称し、右側に配置される短辺を第２短辺と称する。但し、これが本発明の特許請求の範囲を制限するのではない。
【００１６】
実施形態による表示装置で、上記第１長辺側には遠隔制御ユニット信号受信部、ボリューム調整器、チャンネル調整器、画面調整器のうち、少なくともいずれか１つの制御インターフェースが配置されることもできる。
【００１７】
実施形態では、説明の便宜のために、トップカバーと表示パネルとが配置される方向を前面と称し、ボトムカバーが配置される方向を背面と称する。但し、これが本発明の特許請求の範囲を制限するのではない。
【００１８】
図１は本発明の実施形態による表示装置の分解斜視図であり、図２は図１の表示装置をＩ−Ｉ’線により切断した断面図であり、図３は本発明の実施形態による表示装置におけるボトムカバーの内側に設けられた発光モジュールを示す図であり、図４は本発明の実施形態による表示装置における支持部材を示す図である。
【００１９】
図１乃至図４を参照すると、実施形態による表示装置は、ボトムカバー１０、上記ボトムカバー１０の内に発光モジュール８０、上記ボトムカバー１０の上に反射シート２０、上記反射シート２０の上に導光板３０、上記導光板３０の上に光学シート４０、上記光学シート４０の上に表示パネル６０、上記表示パネル６０の上にトップカバー７０、及び上記ボトムカバー１０と上記トップカバー７０との間に配置される支持部材５０を含む。
【００２０】
上記ボトムカバー１０は、第１長辺、第２長辺、第１短辺、及び第２短辺を有する長方形態の平面形状を有し、底面と上記底面から垂直に延びた４部分の側壁を含む。上記ボトムカバー１０は、上記発光モジュール８０、反射シート２０、導光板３０、及び光学シート４０を収納する。
【００２１】
図５及び図６は、本発明の実施形態によるボトムカバーの正面図及び背面図である。
【００２２】
図１乃至図６を参照して上記ボトムカバー１０についてより詳細に説明すると、図５に示すように、上記ボトムカバー１０は、例えば、金属材質で形成されることもでき、剛性を強化するために、第１方向に延びる少なくとも１つの第１凸部１０ａと、上記第１方向に垂直な第２方向に延びる少なくとも１つの第２凸部１０ｂを有することもできる。上記第１凸部１０ａ及び第２凸部１０ｂは、上記ボトムカバー１０をプレス加工して形成することもでき、隣接した部分に比べて突出した形態を有する。
【００２３】
上記第１凸部１０ａは上記ボトムカバー１０の上で上記第１方向に延びることができ、上記第２凸部１０ｂは長方形態の上記ボトムカバー１０の上で短辺に平行した上記第２方向に延びることができる。上記第１凸部１０ａ及び上記第２凸部１０ｂは上記反射シート２０を支持し、上記反射シート２０が平らな状態で支持できるように、上記第１凸部１０ａ及び第２凸部１０ｂの最上面は同一水平面上に配置されることもできる。即ち、上記第１凸部１０ａ及び第２凸部１０ｂの最上面は同一高さに形成することができる。
【００２４】
上記第２凸部１０ｂの間には第１放熱部材１１を設置することができ、上記第１放熱部材１１は複数個を設置することができる。例えば、上記第１放熱部材１１はヒートパイプで形成することができる。
【００２５】
上記第２凸部１０ｂは突出して形成されるので、上記第１放熱部材１１に隣接した部分及び上記第１凸部１０ａに隣接した部分にそれぞれ傾斜面が形成される。上記第１放熱部材１１に隣接した部分の傾斜面は、上記第１放熱部材１１の設置を円滑にするために上記第１凸部１０ａに隣接した傾斜面より緩やかに形成することもできる。
【００２６】
上記ボトムカバー１０には固定部材１３が結合される。上記固定部材１３は、結合ホール１３ｃが備えられて、上記ボトムカバー１０にネジのような結合部材により固定することもでき、上記第１放熱部材１１が上記ボトムカバー１０に硬く固定できるようにする。また、上記反射シート２０が平らな状態で支持できるように、上記固定部材１３の最上面は上記第１凸部１０ａ及び第２凸部１０ｂの最上面と同一水平面上に配置することもできる。
【００２７】
上記固定部材１３は、上記第１方向に延びる胴体部１３ａ、及び上記胴体部１３ａから上記第２方向に延びる枝部１３ｂを含む。上記枝部１３ｂは１つの胴体部１３ａに複数個を形成することができ、上記枝部１３ｂの少なくとも一部分は上記第１放熱部材１１の上に配置されて、上記第１放熱部材１１が上記ボトムカバー１０に密着して固定できるようにする。
【００２８】
図６に示すように、上記ボトムカバー１０の背面には複数のスタッドピン１４が形成されて上記ボトムカバー１０の背面に配置される電源装置または印刷回路基板などが固定できるようにする。上記複数のスタッドピン１０は、電源装置または印刷回路基板などと結合されて、上記ボトムカバー１０の剛性をより強化することもできる。
【００２９】
上記ボトムカバー１０の第１長辺には、上記第１支持部材５１及びトップカバー７０と共に、ネジのような結合部材により結合できるように結合ホール１０ｈ、１０ｉが形成され、上記ボトムカバー１０の第２長辺、第１短辺、及び第２短辺には、上記トップカバー７０とフック結合できるように結合突起１０ｇが形成される。
【００３０】
図示してはいないが、上記ボトムカバー１０の剛性を補完するために、上記ボトムカバー１０の背面にはＨビームを結合することもできる。
【００３１】
また、図２及び図３を参照すると、上記ボトムカバー１０の第１長辺側には第２放熱部材１２が結合される。
【００３２】
上記第２放熱部材１２は、結合ホール１２ｃが形成されてネジのような結合部材により上記ボトムカバー１０に固定することができ、上記第１放熱部材１１の一部分の上側に配置されて上記固定部材１３と共に上記第１放熱部材１１が上記ボトムカバー１０に密着して固定できるようにする。
【００３３】
上記第２放熱部材１２は、部分的に突出した突出部１２ａを有し、上記突出部１２ａの最上面は上記固定部材１３の最上面、上記第１凸部１０ａ及び第２凸部１０ｂの最上面と同一水平面上に配置することもできる。
【００３４】
上記第２放熱部材１２は上記第１放熱部材１１と接触し、上記発光モジュール８０で発生した熱を上記第１放熱部材１１に伝達することによって、効果的な熱放出を可能にする。
上記第２放熱部材１２には上記発光モジュール８０が設置される。
【００３５】
上記発光モジュール８０は、少なくとも１つの発光素子８２、及び上記発光素子８２を支持し、上記発光素子８２に電源を提供するための回路パターンが形成された発光モジュール基板８１を含む。また、上記発光モジュール８０は、上記発光モジュール基板８１を外部の電源装置または印刷回路基板と電気的に連結するためのコネクタ８３をさらに含むこともできる。
【００３６】
上記発光モジュール８０は、上記ボトムカバー１０の第１長辺、第２長辺、第１短辺、または第２短辺のうち、少なくともいずれか１つに沿って配置することができ、実施形態では上記発光モジュール８０が上記ボトムカバー１０の第１長辺に沿って配置されたものが例示されている。
【００３７】
また、上記発光モジュール８０は、上記ボトムカバー１０と上記トップカバー７０との間に配置され、上記導光板３０と上記ボトムカバー１０との間に配置されて上記導光板３０の下面に光を照射する。上記導光板３０の下面に入射された光は上記導光板３０の中心部方向に進行して面光源形態に変換される。
【００３８】
上記発光モジュール基板８１は、下面が上記第２放熱部材１２の上面と接し、上面には上記発光素子８２が設置される。したがって、上記発光モジュール８０で発生した熱は上記第２放熱部材１２及び第１放熱部材１１に効果的に伝えられて放出できる。上記発光素子８２の上には上記導光板３０の少なくとも一部分が配置される。
【００３９】
図２０は、本発明の他の実施形態によるバックライトユニットを説明する図である。図２０を参照すると、上記導光板３０は傾斜面を含むことができ、上記傾斜面は上記発光素子８２の上側に配置される。
【００４０】
上記導光板３０の傾斜面には反射層３１が形成され、上記反射層３０は上記発光素子８２から入射された光が上記導光板３０の中心部方向に効果的に進行されるようにする。したがって、光効率が増加することができる。
【００４１】
実施形態では、上記発光モジュール８０に発光素子８２として発光ダイオードが形成されたものが例示されているが、上記発光モジュール８０はＣＣＦＬのようなランプで形成されるか、ＯＬＥＤのような他の種類の発光素子を含むこともできる。
【００４２】
上記発光素子８２は、望みの輝度と均一な分布を有する光を提供するために、上記表示パネル６０のサイズ、即ち上記表示パネル６０のインチによってその個数が変わる。上記発光素子８２は、上記表示パネル６０のインチ数の２．５〜３．５倍の個数に形成されることが好ましい。上記発光素子８２が上記表示パネル６０のインチ数の２．５倍の個数より少ないか、３．５倍の個数より多い場合、適切な輝度及び均一な分布を有する光を提供することが困難である。
【００４３】
例えば、上記表示パネル６０が４７インチの場合、上記発光素子８２は１１８〜１６４個を設置することができる。実施形態において、上記表示パネル６０は４７インチであり、上記発光素子８２は１３８個が設置される。
【００４４】
上記ボトムカバー１０及び上記第２放熱部材１２の上には上記発光素子８２から放出された光を面光源形態に出射されるようにする上記導光板３０が設置される。
【００４５】
そして、上記導光板３０と上記ボトムカバー１０との間には上記発光素子８２から放出された光を上記導光板３０が配置された方向に反射して光効率を増加させる上記反射シート２０が形成される。上記反射シート２０は形成されないこともあり、別途のシートとして存在せず、上記導光板３０または上記ボトムカバー１０に反射率の高い物質をコーティングすることもできる。
【００４６】
上記導光板３０の上には上記光学シート４０が配置される。例えば、上記光学シート４０は、第１拡散シート４１、プリズムシート４２、及び第２拡散シート４３を含むことができる。上記光学シート４０は形成されないこともあり、１つの拡散シートのみ形成したり、１つのプリズムシートのみ形成することもできる。上記光学シート４０の数及び種類は要求される輝度特性によって多様に選択することができる。
【００４７】
上記光学シート４０の上には上記表示パネル６０が配置される。上記表示パネル６０は液晶表示パネルが使われることもできる。
【００４８】
図７乃至図１０は本発明の実施形態による表示装置における支持部材の構造を説明する図であり、図１１は本発明の実施形態による表示装置における表示パネルを説明する図である。
【００４９】
図１乃至図４及び図７乃至図１０を参照すると、上記支持部材５０は、第１支持部材５１、第２支持部材５２、第３支持部材５３、及び第４支持部材５４を含む。上記第４支持部材５４は、２つの分離された第４支持部材５４ａ、５４ｂで形成することもできる。
【００５０】
例えば、上記第１支持部材５１は上記第１長辺側に配置することができ、上記第４支持部材５４は上記第２長辺側に配置することができる。また、上記第２支持部材５２は上記第１短辺側に配置することができ、上記第３支持部材５３は上記第２短辺側に配置することができる。
【００５１】
上記第１支持部材５１は、例えば合成樹脂材質で形成することができ、上記第２支持部材５２、第３支持部材５３、及び第４支持部材５４は、例えば金属材質で形成することもできる。
【００５２】
上記第１支持部材５１及び第４支持部材５４は上記ボトムカバー１０の第１長辺及び第２長辺に結合され、上記第２支持部材５２及び第３支持部材５３は上記ボトムカバー１０の第１短辺及び第２短辺に結合される。
【００５３】
上記支持部材５０は、図２に示すように、上記反射シート２０、導光板３０、及び光学シート４０が上記ボトムカバー１０に密着して結合できるようにし、上記表示パネル６０を支持する。
【００５４】
図２、図７、図８、及び図１１を参照すると、上記第１支持部材５１は、上記ボトムカバー１０、発光モジュール８０、及び光学シート４０の上に配置される第１部分５１ａと、上記第１部分５１ａから垂直に折り曲げられて上記ボトムカバー１０の外側に配置される第２部分５１ｂを含む。
【００５５】
上記第１部分５１ａには上記表示パネル６０の第１フレキシブル印刷回路基板６１が上記ボトムカバー１０の外側に延長できるように凹溝路５１ｃが形成され、上記ボトムカバー１０にネジのような結合部材により結合できるようにするか、上記ボトムカバー１０及びトップカバー７０と共にネジのような結合部材により結合できるように第１結合ホール５１ｄが形成される。そして、上記第２部分５１ｂには上記表示パネル６０の印刷回路基板６２に結合されたチップ６３を配置することができるチップ配置ホール５１ｅを形成することができ、上記ボトムカバー１０及びトップカバー７０と共にネジのような結合部材により結合できるように結合ホール５１ｆが形成される。
【００５６】
上記第２支持部材５２は、上記反射シート２０、上記導光板３０、及び上記光学シート４０が上記ボトムカバー１０に密着できるようにし、上記表示パネル６０を支持する第１部分５２ａ、上記第１部分５２ａで上方に突出して上記表示パネル６０の流動を防止する第２部分５２ｂ、上記第１部分５２ａで下方に突出し、互い離隔して交互に配置されることによって、上記ボトムカバー１０の側壁の内側及び外側に配置されて結合する第３部分５２ｃ、及び第４部分５２ｅを含む。上記第２支持部材５２は、上記第３部分５２ｃ及び第４部分５２ｅにより上記ボトムカバー１０の側壁に強制嵌合することもできる。また、上記第３部分５２ｃには結合突起５２ｄが形成され、上記結合突起５２ｄは上記ボトムカバー１０に形成された第２支持部材結合ホール１０ｃに挿入されてフック結合することもできる。上記第４部分５２ｅにはチップ配置溝５２ｆを形成することができ、上記チップ配置溝５２ｆには上記表示パネル６０の第２フレキシブル印刷回路基板６４に結合されたチップ（図示せず）が配置できる空間を提供する。上記第１部分５２ａには上記第２フレキシブル印刷回路基板６４と接触する部分に絶縁テープを形成したり、絶縁コーティング層を形成することもできる。
【００５７】
上記第３支持部材５３は上記第２支持部材５２と同一な構造で形成することができ、重複する説明は省略する。また、上記第４支持部材５４も上記第２支持部材５２及び第３支持部材５３と同一または類似な構造で形成できるので、重複する説明は省略する。
【００５８】
上記第４支持部材５４は第２長辺側に配置されるので、長く形成する必要がある。この場合に、上記第４支持部材５４が曲がるとか損傷される可能性があるので、上記第４支持部材５４を２部分に分割して形成することで、より硬く上記ボトムカバー１０に結合することができる。一方、上記第１支持部材５１は、上記第４支持部材５４に比べて大きい面積で形成されるので、曲がるとか損傷される可能性が少なく、合成樹脂材質で形成される場合に一層硬いため、２部分に分割して形成しないこともある。
【００５９】
図１２乃至図１５は、本発明の実施形態による表示装置における反射シート、導光板、及び光学シートの流動を防止するための構造を説明するための図である。
【００６０】
図１２及び図１３を参照すると、上記ボトムカバー１０の第１長辺側に隣接した部分には、上記反射シート２０、導光板３０、及び光学シート４０の流動を防止し、上記発光素子８２と一定間隔離隔するようにするための第１ボス１０ｄが形成される。
【００６１】
上記反射シート２０には上記第１ボス１０ｄに対応する第１ボス挿入溝２１が形成され、上記導光板３０には上記第１ボス１０ｄに対応する第１ボス挿入溝３１が形成される。
【００６２】
上記第１ボス挿入溝２１、３１は上記第１ボス１０ｄに結合されることによって、上記反射シート２０及び導光板３０が流動しないようにする。
【００６３】
たとえ、詳細に図示してはいないが、上記光学シート４０にも上記第１ボス１０ｄに対応する第１ボス挿入溝を形成することができる。
【００６４】
図１４を参照すると、上記ボトムカバー１０の第２短辺側に隣接した部分には、上記反射シート２０、導光板３０、及び光学シート４０の流動を防止するための第２ボス１０ｅが形成される。
【００６５】
上記反射シート２０には上記第２ボス１０ｅに対応する第２ボス挿入溝２２が形成され、上記導光板３０には上記第２ボス１０ｄに対応する第２ボス挿入溝３２が形成される。
【００６６】
上記第２ボス挿入溝２２、３２は上記第２ボス１０ｅに結合されることによって、上記反射シート２０及び導光板３０が流動しないようにする。
【００６７】
たとえ、詳細に図示してはいないが、上記光学シート４０にも上記第２ボス１０ｅに対応する第２ボス挿入溝を形成することができる。
【００６８】
上記第２ボス１０ｅは、上記ボトムカバー１０の第２短辺及び第３短辺に隣接した部分に全て形成したり、いずれか１つのみに形成することもできる。
【００６９】
図１５を参照すると、上記反射シート２０には上記コネクタ８３に対応するコネクタ挿入溝２３が形成され、上記導光板３０には上記コネクタ８３に対応するコネクタ挿入溝３３が形成される。
【００７０】
上記コネクタ８３は、上記発光素子８２が形成された上記発光モジュール基板８１を上記ボトムカバー１０の背面に配置される電源装置または印刷回路基板と電気的に役割をすると共に、上記コネクタ挿入溝２３、３３と接触して上記反射シート２０及び導光板３０を支持することによって、上記反射シート２０及び導光板３０が上記発光素子８２と一定間隔離隔できるようにする。
【００７１】
たとえ、詳細に図示してはいないが、上記光学シート４０にも上記コネクタ８３に対応するコネクタ挿入溝を形成することができる。
【００７２】
図１６及び図１７は、本発明の実施形態による表示装置におけるコネクタとボトムカバーの背面に配置された電源装置または印刷回路基板を電気的に連結するための経路を提供する構造を説明する図である。
【００７３】
図１６及び図１７を参照すると、上記ボトムカバー１０の隅部分、即ち第１長辺と第１短辺とが会う部分にはケーブル引出ホール１０ｆが形成される。上記ケーブル引出ホール１０ｆは、上記ボトムカバー１０の側面に形成されて、上記ボトムカバー１０の前面と背面を連結する。
【００７４】
上記ケーブル引出ホール１０ｆは、上記コネクタ８３と対向する部分に形成されるので、上記コネクタ８３に結合されるケーブル（図示せず）が最短経路で上記ボトムカバー１０を通過することができるので、上記コネクタ８３と上記ボトムカバー１０の背面に設けられる電源装置または印刷回路基板を容易に連結することができる。
【００７５】
上記ケーブル引出ホール１０ｆは、上記第１長辺と第２短辺とが交わる部分に形成することもできる。
【００７６】
図１８及び図１９は、本発明の実施形態による表示装置のトップカバーを説明する図である。
【００７７】
図１８及び図１９を参照すると、上記トップカバー７０は表示装置の前面に配置される第１部分７０ａと、上記第１部分７０ａで垂直方向に折り曲げられて表示装置の側面に配置される第２部分７０ｂと、を含む。
【００７８】
上記第１部分７０ａの第１長辺には、上記ボトムカバー１０及び第１支持部材５１と共にネジのような結合部材により結合できるように結合ホール７１が形成される。
【００７９】
そして、上記第２部分７０ｂの第１長辺には、上記ボトムカバー１０及び第１支持部材７０と共にネジのような結合部材により結合できるように結合ホール７２が形成される。また、上記第２部分７０ｂの第２長辺、第１短辺、及び第２短辺には、上記ボトムカバー１０の結合突起１０ｇとフック結合される結合ホール７３が形成される。
【００８０】
上記トップカバー７０は、第１長辺、第２長辺、第１短辺、及び第２短辺を含む長方形の枠形態に形成することができる。
【００８１】
実施形態による表示装置において、上記トップカバー７０は上記ボトムカバー１０と第１長辺でネジのような結合部材により結合され、第２長辺、第１短辺、及び第２短辺でフック結合される。
【００８２】
上記トップカバー７０は上記ボトムカバー１０の側面でフック結合され、上記トップカバー７０は上記ボトムカバー１０の前面及び側面でネジ結合される。上記ネジは前面及び側面で互いに直交する方向に挿入されて締結されるので、上記トップカバー７０とボトムカバー１０とをより硬く結合することができる。
【００８３】
上記フック結合は、組立工程の利便性及び迅速性を保証し、上記結合部材による結合は組立の堅固性を保証することができる長所がある。
【００８４】
上記トップカバー７０は、上記表示パネル６０に結合された上記第１フレキシブル印刷回路基板６１及び上記第２フレキシブル印刷回路基板６４と接触することができ、電気絶縁性を確保するために、上記トップカバー７０が上記第１フレキシブル印刷回路基板６１及び上記第２フレキシブル印刷回路基板６４と接触する部分には、絶縁テープを形成したり、絶縁コーティング層を形成することもできる。
【００８５】
以上、実施形態に説明された特徴、構造、効果などは、本発明の少なくとも１つの実施形態に含まれ、必ず１つの実施形態のみに限定されるのではない。延いては、各実施形態で例示された特徴、構造、効果などは、実施形態が属する分野の通常の知識を有する者により他の実施形態に対しても組合または変形されて実施可能である。したがって、このような組合と変形に関連した内容は本発明の範囲に含まれることと解釈されるべきである。
【００８６】
以上、本発明を好ましい実施形態をもとに説明したが、これは単なる例示であり、本発明を限定するのでない。本発明の本質的な特性を逸脱しない範囲内で、多様な変形及び応用が可能であることが同業者にとって明らかである。例えば、実施形態に具体的に表れた各構成要素は変形して実施することができ、このような変形及び応用にかかわる差異点も特許請求の範囲で規定する本発明の範囲に含まれるものと解釈されるべきである。
【図１】
2011253806.tif 000003
【図２】
2011253806.tif 000004
【図３】
2011253806.tif 000005
【図４】
2011253806.tif 000006
【図５】
2011253806.tif 000007
【図６】
2011253806.tif 000008
【図７】
2011253806.tif 000009
【図８】
2011253806.tif 000010
【図９】
2011253806.tif 000011
【図１０】
2011253806.tif 000012
【図１１】
2011253806.tif 000013
【図１２】
2011253806.tif 000014
【図１３】
2011253806.tif 000015
【図１４】
2011253806.tif 000016
【図１５】
2011253806.tif 000017
【図１６】
2011253806.tif 000018
【図１７】
2011253806.tif 000019
【図１８】
2011253806.tif 000020
【図１９】
2011253806.tif 000021
【図２０】
2011253806.tif 000022